(57)【要約】【課題】自分撮りの場合に、短時間で自分撮りに適した撮影条件を設定するデジタルカメラを提供する。【解決手段】撮影レンズを介した被写体光を撮像する撮像部２２と、撮影者自身を撮影する自分撮りモードを設定する設定部２０と、前記設定部により前記自分撮りモードが設定されたとき、前記撮影レンズのズーム位置を広角端にする処理、フォーカス位置を所定位置にする処理及び前記撮像部により撮像を行なう前記被写体光に含まれる人物の顔に対して合焦を行なう顔認識オートフォーカスモードを設定する処理を行なう制御部２０とを備えることを特徴とする。【選択図】  図３
2013117650.tif 000002
【特許請求の範囲】
【請求項１】
撮影レンズを介した被写体光を撮像する撮像部と、
撮影者自身を撮影する自分撮りモードを設定する設定部と、
前記設定部により前記自分撮りモードが設定されたとき、前記撮影レンズのズーム位置を広角端にする処理、フォーカス位置を所定位置にする処理及び前記撮像部により撮像を行なう前記被写体光に含まれる人物の顔に対して合焦を行なう顔認識オートフォーカスモードを設定する処理を行なう制御部と、
を備えることを特徴とするデジタルカメラ。
【請求項２】
前記自分撮りを認識するセンサを備え、
前記センサにより前記自分撮りを認識した場合に、前記設定部は前記自分撮りモードを設定し、前記制御部は、前記所定位置を撮影者が手持ちで自身を撮影する場合の撮影者までの距離に応じた第１の所定位置とすることを特徴とする請求項１に記載のデジタルカメラ。
【請求項３】
デジタルカメラ本体に対して向きが可変である表示部を備え、
前記センサは、前記表示部の向きを検出することを特徴とする請求項２に記載のデジタルカメラ。
【請求項４】
自分撮りモードを設定する操作部を備え、
前記操作部により前記自分撮りモードが設定された場合に、前記制御部は、前記所定位置を撮影者が手持ちで自身を撮影する場合の撮影者までの距離に応じた第１の所定位置よりも遠方の第２の所定位置とすることを特徴とする請求項１に記載のデジタルカメラ。
【請求項５】
前記制御部は、人物の明るさに基づいて露出の設定を行なうと共に、背景の明るさに基づいて露出の設定を行なう露出制御を行ない、
前記撮像部は、人物の明るさに基づいて設定された露出で撮像を行なうと共に、背景の明るさに基づいて設定された露出で撮像を行なうことを特徴とする請求項１〜４の何れか一項に記載のデジタルカメラ。
【請求項６】
前記制御部は、人物の明るさに基づいて設定された露出と背景の明るさに基づいて設定された露出との間で一方の露出から他方の露出へと段階的に露出を変化させていく露出制御を行ない、
前記撮像部は、露出が段階的に変化する毎に撮像を行なうことを特徴とする請求項１〜４の何れか一項に記載のデジタルカメラ。
【請求項７】
被写体を照明する発光部を備え、
前記人物よりも前記背景の方が明るい場合に、前記制御部は、背景の明るさに基づいて露出を設定する露出制御を行なうと共に、前記発光部の光量を増減させる制御を行ない、
前記撮像部は、日中シンクロ撮影またはスローシンクロ撮影で連続して撮像を行なうことを特徴とする請求項１〜４の何れか一項に記載のデジタルカメラ。
【請求項８】
前記制御部は、前記撮像部のＩＳＯ感度を上げる制御を行なうと共に、絞りを絞る制御を行なうことを特徴とする請求項１〜４の何れか一項に記載のデジタルカメラ。
【請求項９】
前記自分撮りモードの設定前のズーム位置、フォーカス位置及びオートフォーカスモードの設定を記憶する記憶部を備え、
前記自分撮りモードが終了したとき、前記制御部は、前記記憶部に記憶されているズーム位置、フォーカス位置及びオートフォーカスモードの設定に基づいて前記自分撮りモードの設定前の状態に戻すことを特徴とする請求項１〜８の何れか一項に記載のデジタルカメラ。
【発明の詳細な説明】
【技術分野】
【０００１】
本発明は、デジタルカメラに関するものである。
【背景技術】
【０００２】
従来、回転可能に取り付けられた回転撮像ユニットを備えたデジタルカメラが知られている（例えば、特許文献１参照）。このデジタルカメラにおいては、ユーザが自分撮りを行なうために回転撮像ユニットを所定の方向に向けたとき、ズーム機能を強制的に広角端に設定して自分撮りに適したズーム状態に制御している。
【先行技術文献】
【特許文献】
【０００３】
【特許文献１】特開２００８−４８３４８号公報
【発明の概要】
【発明が解決しようとする課題】
【０００４】
ところで、一人で観光地を訪れた場合、まず対象物の撮影を行ない、続いて自分撮りで自分と対象物とを一緒に撮影することがある。ここで対象物のみの撮影の場合には、ズームは望遠側、フォーカスは無限遠側で撮影されることが多く、一方自分撮りの場合には、ズームは広角端、フォーカスは至近側で撮影されることが多い。
【０００５】
従って、撮影条件の切替えが必要となるが、撮影条件の切替えにはズームを広角端に戻す手間に加え、デフォーカス量も多いので、ピントを合わせる時間もかかる。更に近年ズーム倍率が超高倍率化されているため、操作性が悪化する傾向にある。
【０００６】
本発明の目的は、自分撮りの場合に、短時間で自分撮りに適した撮影条件を設定するデジタルカメラを提供することである。
【課題を解決するための手段】
【０００７】
本発明のデジタルカメラは、撮影レンズを介した被写体光を撮像する撮像部と、撮影者自身を撮影する自分撮りモードを設定する設定部と、前記設定部により前記自分撮りモードが設定されたとき、前記撮影レンズのズーム位置を広角端にする処理、フォーカス位置を所定位置にする処理及び前記撮像部により撮像を行なう前記被写体光に含まれる人物の顔に対して合焦を行なう顔認識オートフォーカスモードを設定する処理を行なう制御部とを備えることを特徴とする。
【発明の効果】
【０００８】
本発明のデジタルカメラによれば、自分撮りの場合に、短時間で自分撮りに適した撮影条件を設定することができる。
【図面の簡単な説明】
【０００９】
【図１】実施の形態に係るデジタルカメラの背面図である。
【図２】実施の形態に係るデジタルカメラの正面図である。
【図３】実施の形態に係るデジタルカメラのシステム構成を示すブロック図である。
【図４】風景を広角側で撮影した画像を示す図である。
【図５】風景を望遠側で撮影した画像を示す図である。
【図６】自分撮りによって撮影した画像を示す図である。
【図７】自分撮りモードによる撮影処理を示すフローチャートである。
【図８】撮影条件設定処理を示すフローチャート
【図９】撮影条件戻し処理を示すフローチャート
【発明を実施するための形態】
【００１０】
以下、図面を参照して、本発明の実施の形態に係るデジタルカメラについて説明する。図１は実施の形態に係るデジタルカメラの背面図である。デジタルカメラ２の背面には、撮像された静止画像等を表示するＬＣＤパネル４ａを有する表示部４、露出や絞りを変更する操作や撮影モードを切替る操作等の入力操作を受け付ける操作ボタン６、不図示のズーム駆動機構を動作させるためのズームボタン８が設けられている。また、デジタルカメラ２の上面には、レリーズ指示を行なうレリーズボタン１０が設けられている。
【００１１】
表示部４は、デジタルカメラ２の本体に対し、ヒンジ部１２を回転軸として左右方向に回動可能であり、かつ上下方向に回転可能に取り付けられた、所謂バリアングル方式の表示部である。そのためデジタルカメラ２は、撮像ユニットが前向き方向と後ろ向き方向に変更可能なデジタルカメラよりも、アングルの自由度が非常に高くなる。
【００１２】
図２は実施の形態に係るデジタルカメラの正面図である。ここで図２にはＬＣＤパネル４ａが撮影レンズ１４と同じ方向を向くように表示部４を回動させた状態が示されている。デジタルカメラ２の前面には被写体からの光を撮像素子２４（図３参照）に導く撮影レンズ１４、被写体に向かって光を照射する発光部１６が設けられている。
【００１３】
撮影レンズ１４は、光軸方向に移動可能なズームレンズ及びフォーカスレンズを含む複数のレンズで構成されている。ズームレンズ及びフォーカスレンズの移動によって撮影レンズ１４のズーム位置やフォーカス位置が変更される。なお、ズーム倍率が高倍率の撮影レンズが使用される場合、従来の撮像ユニットが前向き方向と後ろ向き方向に変更可能なデジタルカメラでは、鏡筒部分とカメラヘッド部分とが大きくなり携行性が非常に悪くなる。これに対してデジタルカメラ２は、サイズアップが鏡筒部分のみと限定的であり携行性の悪化を防止することができる。
【００１４】
図３は実施の形態に係るデジタルカメラのシステム構成を示すブロック図である。図３に示すようにデジタルカメラ２にはＣＰＵ２０が設けられている。ＣＰＵ２０には、表示部４、操作部２２、撮像素子２４、メモリ２６、向き検出センサ２８、レンズ駆動部３０及び絞り駆動部３２が接続され、更にメモリカード３４が着脱可能に装着されている。
【００１５】
ＣＰＵ２０は、不図示の不揮発性メモリに格納された制御プログラムに従い、デジタルカメラ２の各部を制御して撮像処理等を実行する。操作部２２には、操作ボタン６、ズームボタン８及びレリーズボタン１０が含まれている。撮像素子２４は、ＣＣＤまたはＣＭＯＳ等により構成され撮影レンズ１４を介して入射した被写体光を撮像し、撮像信号をＣＰＵ２０に対して出力する。メモリ２６は、ズーム位置、フォーカス位置、オートフォーカスモード、露出及び絞り等の撮影条件を記憶する。
【００１６】
向き検出センサ２８は、ヒンジ部１２の回転方向を検知することにより表示部４の向きを検出する。レンズ駆動部３０は、ズームレンズ及びフォーカスレンズを光軸方向に移動させる駆動機構である。絞り駆動部３２は、撮像素子２４に入射する光量を調整するための不図示の絞りの開口量を調整する。
【００１７】
メモリカード３４は、不図示のカードスロットに着脱可能に装着される可搬性を有する記録媒体である。メモリカード３４には、撮像素子２４から出力された撮像信号に基づき作成された画像の画像データが記憶されている。
【００１８】
次に実施の形態に係るデジタルカメラ２による撮影について説明する。撮影者は、風景や建物等を撮影する場合、図１に示すように表示部４をデジタルカメラ２の本体に格納した状態で撮影を行なう。このときＣＰＵ２０は、撮影者によるズームボタン８の操作に従ってレンズ駆動部３０を制御しズームレンズを移動させ、ズーム位置を変更する。
【００１９】
またＣＰＵ２０は、撮影者によりレリーズボタンが半押しされたとき、予め設定されたオートフォーカスモードに基づいて被写体に合焦するようにレンズ駆動部３０を制御しフォーカスレンズを移動させフォーカス位置を変更する。そしてＣＰＵ２０は、撮影者によるレリーズボタンの全押しにより撮影を行なう。これにより図４に示すように広角の画角で建物が写る画像や、ズームの特性を生かして図５に示すように望遠で建物を写した画像を撮影することができる。
【００２０】
また、撮影者は図２に示すように表示部４を撮影レンズ１４と同じ方向に向け、表示部４を見ながら自身が被写体になるように自分撮りを行うことにより、図６に示すように撮影者自身と建物とが写った画像を撮影することができる。
【００２１】
次に、実施の形態に係る自分撮りモードにおける処理について説明する。図７は自分撮りモードによる撮影処理を示すフローチャートである。ＣＰＵ２０は、向き検出センサ２８により検出された表示部４の向きに基づいて表示部４の状態確認を行なう（ステップＳ１）。
【００２２】
ＣＰＵ２０は、表示部４が撮影レンズ１４と同じ方向に向いているか否かによって自分撮りの状態になっているか否かを判断する（ステップＳ２）。ここで、バリアングル方式のデジタルカメラ２を使って自動撮りを行なう場合、撮影者は、表示部４を撮影レンズ１４と同じ方向に向けると共に、撮影レンズ１４が撮影者自身の方向に向くようにデジタルカメラ２を保持する。そして撮影者は表示部４に表示される自身の位置を確認してレリーズボタン１０を全押しする。従ってＣＰＵ２０は表示部４が撮影レンズ１４と同じ方向を向いているとき、自動撮りの状態であると認識する。
【００２３】
ＣＰＵ２０は自分撮りの状態では無いと判断した場合（ステップＳ２、Ｎｏ）、表示部４の状態確認を再度行なう（ステップＳ１）。一方ＣＰＵ２０は、自分撮りの状態と判断した場合（ステップＳ２、Ｙｅｓ）、自分撮りモードを設定し、自分撮りに適した撮影条件を設定するための撮影条件設定処理を実行する（ステップＳ３）。
【００２４】
ここで図８のフローチャートを参照して撮影条件設定処理について説明する。ＣＰＵ２０は、現在のズーム位置、フォーカス位置、オートフォーカスモード、露出、絞り、撮影モード、１コマ撮影や連続撮影等の撮影動作モードに関する各情報を前撮影条件情報としてメモリ２６に記憶する（ステップＳ２０）。
【００２５】
ＣＰＵ２０は、撮影者と背景の両方を同時に撮影できるように、レンズ駆動部３０を制御してズームレンズを移動させズーム位置を広角端にする（ステップＳ２１）。またＣＰＵ２０は、レンズ駆動部３０を制御してフォーカスレンズを移動させ、フォーカス位置をデジタルカメラ２から５０ｃｍの位置にする（ステップＳ２２）。一般に撮影者が手持ちで自分撮りを行なう場合にデジタルカメラ２を保持している手を伸ばすと、デジタルカメラ２から撮影者までの間隔が５０ｃｍ程度となる。そこで後の合焦処理において短時間で撮影者の顔に合焦することができるように、ステップＳ２２においてフォーカス位置を５０ｃｍの位置にしている。
【００２６】
またＣＰＵ２０は、被写体光に含まれる人物の顔の領域を認識してその顔の領域に対して合焦を行なうための顔認識オートフォーカスモードの設定を行なう（ステップＳ２３）。またＣＰＵ２０は、撮影モードとして、露出を人物の明るさに基づく露出から背景の明るさに基づく露出に段階的に変化させると共に、露出が段階的に変化する毎に撮像素子２４により撮像を行なう高速段階露出連写モードの設定を行なう（ステップＳ２４）。なお、ＣＰＵ２０はステップＳ２１〜ステップＳ２４までの処理を並行して実行してもよい。そして各処理が終了したときに撮影条件設定処理を終了する。
【００２７】
次にＣＰＵ２０は、顔認識オートフォーカスに基づいた合焦処理を実行し、人物の顔の領域に合焦するようにレンズ駆動部３０を制御してフォーカスレンズを移動させ、フォーカス位置を変更する（ステップＳ４）。ＣＰＵ２０は、撮影者によりレリーズボタン１０が全押しされたか否かを判断する（ステップＳ５）。ＣＰＵ２０は、レリーズボタン１０が全押しされていないと判断した場合（ステップＳ５、Ｎｏ）、顔認識オートフォーカスに基づいた合焦処理を再度実行する（ステップＳ４）。
【００２８】
ＣＰＵ２０は、レリーズボタン１０が全押しされたと判断した場合（ステップＳ５、Ｙｅｓ）、高速段階露出連写モードで撮像処理を実行する（ステップＳ６）。即ちＣＰＵ２０は、撮像素子２４から出力された撮像信号に基づいて被写体としての人物の明るさと背景の明るさを認識し、露出を人物の明るさに基づく露出から背景の明るさに基づく露出に段階的に変化させると共に露出が段階的に変化する毎に撮像素子２４により撮像を行なう。そしてＣＰＵ２０は撮像された画像の画像データをメモリカード３４に記憶する。
【００２９】
ＣＰＵ２０は撮像処理が終了すると、向き検出センサ２８により検出された表示部４の向きに基づいて表示部４の状態確認を行なう（ステップＳ７）。ＣＰＵ２０は、表示部４が撮影レンズ１４と同じ方向に向いているか否かによって自分撮りの状態が継続中か否かを判断する（ステップＳ８）。ここでは、表示部４が撮影レンズ１４と同じ方向に向いている状態のとき、自分撮りの状態が継続中であるものとする。
【００３０】
ＣＰＵ２０は、自分撮りの状態が継続中であると判断した場合（ステップＳ８、Ｙｅｓ）、撮影者によりレリーズボタン１０が全押しされたか否かを判断する（ステップＳ９）。ＣＰＵ２０は、レリーズボタン１０が全押しされたと判断した場合（ステップＳ９、Ｙｅｓ）、撮像処理を実行する（ステップＳ６）。
【００３１】
一方、ＣＰＵ２０は、レリーズボタン１０が全押しされていないと判断した場合（ステップＳ９、Ｎｏ）、表示部４の状態確認を再度行なう（ステップＳ７）。
【００３２】
ＣＰＵ２０は、向き検出センサ２８により検出された表示部４の向きが撮影レンズ１４と異なる方向であって、自分撮りの状態が解除されたと判断した場合（ステップＳ８、Ｎｏ）、撮影条件を自分撮りモードの設定前の状態に戻すための撮影条件戻し処理を実行し（ステップＳ１０）、自分撮りモードによる撮影処理を終了する。
【００３３】
ここで図９のフローチャートを参照して撮影条件戻し処理について説明する。ＣＰＵ２０は、メモリ２６から前撮影条件情報を読み出す（ステップＳ３０）。そして、ＣＰＵ２０は、読み出した前撮影条件情報のズーム位置に基づいて、レンズ駆動部３０を制御してズームレンズを移動させ、ズーム位置を自分撮りモードの設定前の状態に戻す（ステップＳ３１）。
【００３４】
またＣＰＵ２０は、前撮影条件情報のフォーカス位置に基づいて、レンズ駆動部３０を制御してフォーカスレンズを移動させ、フォーカス位置を自分撮りモードの設定前の状態に戻す（ステップＳ３２）。またＣＰＵ２０は、前撮影条件情報のオートフォーカスモードに基づいて、オートフォーカスモードを自分撮りモードの設定前の状態に戻す（ステップＳ３３）。またＣＰＵ２０は、前撮影条件情報に基づいて露出や絞りに関する設定を自分撮りモードの設定前の状態に戻す（ステップＳ３４）。
【００３５】
更にＣＰＵ２０は、高速連続撮影モードの設定を解除し（ステップＳ３５）、撮影条件戻し処理を終了する。なお、ＣＰＵ２０はステップＳ３１〜ステップＳ３５の処理を並行して実行してもよい。
【００３６】
本実施の形態によれば、自分撮りであることを認識してから短時間で自分撮りに適した撮影条件を設定することができる。
【００３７】
また、自分撮りモードを設定した際のフォーカス位置（５０ｃｍ）は、手持ちによる自分撮りを行なうときのデジタルカメラ２と撮影者までの間隔に基づいて定めた長さであって、フォーカス位置が撮影者の顔の領域近傍になるので、顔認識オートフォーカスによる合焦処理の際のデフォーカス量を少なくすることができ、合焦処理を短時間で行なうことができる。
【００３８】
また、顔認識オートフォーカスモードを設定するので、自分撮りを行なった際に確実に撮影者の顔に合焦した画像を撮影することができる。
【００３９】
また、自分撮りの状態が解除されたときメモリ２６に記憶した前撮影条件情報に基づいて、ズーム位置、フォーカス位置、オートフォーカスモード、露出及び絞りの設定を自分撮りモードの設定前の状態に戻す処理を行なうため、撮影者が自分撮りを行なう前に設定していた撮影条件を再度設定しなおす手間を省くことができ、利便性が向上する。
【００４０】
また、人物の明るさに基づく露出から、背景の明るさに基づく露出までの露出の異なる複数の画像を撮影するので、撮影者にとっては人物と背景の明るさのバランスのよい画像を選択することができる。
【００４１】
なお、上述の実施の形態においては、表示部４の向きに基づいて自分撮りを認識しているが、例えばデジタルカメラ２の前面側端部等、自分撮りを行なうときだけ撮影者の指が接触する部分があることを考慮し、そのような部分にタッチセンサを配置し、そのタッチセンサによって撮影者の指の検知したときに自分撮りの状態であることを認識するようにしてもよい。
【００４２】
また、上述の実施の形態においては、表示部４の向きに基づいて自分撮りを認識し、自分撮りモードを設定しているが、例えば操作部２２を介した自分撮りモードを設定させる入力操作に基づいて自分撮りモードを設定するようにしてもよい。
【００４３】
また、上述の実施の形態においては、フォーカス位置を５０ｃｍにしているが、これに限定されるものではなく、操作部２２による入力操作に基づいて変更してもよい。例えばデジタルカメラ２を三脚等に固定して撮影者が離れた位置からリモコン操作によって自身を撮影する場合、フォーカス位置は５０ｃｍよりも遠方の位置（例えば２ｍ等）にすれば、離れた位置にいる撮影者に対し行なう顔認識オートフォーカスによる合焦処理の際のデフォーカス量を少なくすることができ、合焦処理を短時間で行なうことができる。
【００４４】
また、上述の実施の形態においては、撮影者が手持ちで自分撮りを行なうものとしてフォーカス位置を設定しているが、操作部２２による入力操作によって自分撮りを手持ちで行なうか、リモコン操作で行なうかを設定させ、例えば手持ちで行なう場合にはフォーカス位置を５０ｃｍにし、リモコン操作で行なう場合にはフォーカス位置を２ｍにする等、自分撮りの方法に応じたフォーカス位置を設定するようにしてもよい。
【００４５】
また、上述の実施の形態においては、自分撮りモードにおける露出制御を人物の明るさに基づく露出から背景の明るさに基づく露出へと段階的に変化させているが、背景の明るさに基づく露出から人物の明るさに基づく露出へと段階的に変化させる露出制御であってもよい。
【００４６】
また、上述の実施の形態においては、高速段階露出連写モードで複数枚の画像を撮影しているが、人物の明るさに基づく露出を設定すると共に、背景の明るさに基づく露出を設定する露出制御を行ない、人物の明るさに基づく露出のときと、背景の明るさに基づく露出のときに画像を撮影するようにしてもよい。
【００４７】
また、上述の実施の形態においては、自分撮りモードにおける露出制御を人物の明るさに基づく露出から背景の明るさに基づく露出へと段階的に変化させているが、背景の明るさに基づいた露出にする露出制御としてもよい。この場合、撮像素子２４に入射する被写体光に基づいて人物の輝度を認識し、太陽の光が逆光となって人物が暗くなる場合には、発光部１６が照射する光の光量を増減させ、日中シンクロ撮影で画像を複数枚連続して撮影すれば、確実に人物の顔を明るく写すことができる。また夜間において人物を撮影する場合であって人物が暗くなる場合には、発光部１６が照射する光の光量を増減させ、スローシンクロ撮影で画像を複数枚連続して撮影するようにすれば、確実に人物の顔を明るく写すことができる。
【００４８】
また、上述の実施の形態においては、人物の明るさに基づく露出から背景の明るさに基づく露出へと段階的に変化させているが、撮像素子２４のＩＳＯ感度を上げると共に絞りの開口量を絞るように絞り駆動部３２を制御してもよい。この場合には被写界深度が深くなり、撮影者の顔に合焦した画像を確実に撮影することができる。
【符号の説明】
【００４９】
２…デジタルカメラ、４…表示部、１４…撮影レンズ、１６…発光部、２２…操作部、２４…撮像素子、２６…メモリ、２８…向き検出センサ、３０…レンズ駆動部、３２…絞り駆動部。
【図１】
2013117650.tif 000003
【図２】
2013117650.tif 000004
【図３】
2013117650.tif 000005
【図４】
2013117650.tif 000006
【図５】
2013117650.tif 000007
【図６】
2013117650.tif 000008
【図７】
2013117650.tif 000009
【図８】
2013117650.tif 000010
【図９】
2013117650.tif 000011